(57)【要約】      （修正有）【課題】デュアルプルコードリールと組合せた携帯電話端末サポートフレームの提供。【解決手段】コードリール１０はＵＳＢ伝送線７０を効果的に巻き取りケース体２０内に収納でき、サポートフレームを取り外した後は、独立使用が可能なもう一つのサポートフレーム８０となり、コードリール１０とサポートフレーム８０とは組み合わせて、或いは別々に使用でき、コードリール１０後側には取り外し可能なサポートフレーム８０を組み付け、コードリール１０はケース体２０、コードリール盤５０、リールバネ６０、伝送線７０を備え、サポートフレーム８０は左サポート片９１、右サポート片９５、組合せ片８１及び複数のボルト８５を備え、ケース体２０は左側蓋体３０及び右側蓋体４０からなり、左側蓋体３０及び右側蓋体４０が合体後は収容空間を形成し、収容空間内の適当な位置にはコードリール盤５０を設置し、コードリール盤５０内部にはリールバネ６０を設置し、伝送線７０はコードリール盤５０内部を通過し、コードリール盤５０外径上に巻き付ける。【選択図】図２
0003202609.tif 000002
【実用新案登録請求の範囲】
【請求項１】
デュアルプルコードリールと組合せた携帯電話端末サポートフレームは、コードリール及びサポートフレームを備え、
該コードリールの後側には、取り外し可能なサポートフレームを組み付け、
該コードリールは、ケース体、コードリール盤、リールバネ、伝送線を備え、
該サポートフレームは、左サポート片、右サポート片、組合せ片及び複数のボルトを備え、
該ケース体は、左側蓋体及び右側蓋体を有し、該左側蓋体及び該右側蓋体の合体後は、収容空間を形成し、該収容空間内には、コードリール盤を設置し、該コードリール盤の内部には、リールバネを設置し、
該伝送線は、該コードリール盤の内部を通過し、該コードリール盤の外径上に巻き付き、該左側蓋体の中心位置には、該コードリール盤を通過する心軸を有し、該心軸の中心位置には、係合槽を切り込み状に設置し、該左側蓋体の前端には、対応合体片を設置し、後端には、対応合体ブロックを設置し、
該対応合体片の一側辺には、複数の対応合体柱を設置し、該対応合体ブロックの周縁には、複数の対応合体孔を設置し、該左側蓋体の底側には、底部封鎖蓋を設置し、該底部封鎖蓋の後端には、出線口を設置し、該右側蓋体の頂点側には、頂部封鎖蓋を設置し、該頂部封鎖蓋の前端には、出線口を設置し、該右側蓋体の前端には、複数の対応合体孔を設置し、後端には、２個の対応合体片を前後に有し、該２個の対応合体片の間には、收納空間を形成し、
後側の対応合体片の後側には、鳩尾槽を設置し、該鳩尾槽に鳩尾ブロックを挿入し、該２個の対応合体片の末端には、複数の対応合体柱を設置し、
該コードリール盤の外型は、円筒形状を呈し、該円筒の内部は中空で、収容槽を設置し、該収容槽の中心位置には、穿孔を設置し、該円筒の外径の左右両側には、巻線槽をそれぞれ設置し、該左側巻線槽の側辺には、係合槽を設置し、該収容槽内には、リールバネを収容し、
該リールバネは巻かれた後、先端は、該心軸の中心位置の係合槽上に係合して固定され、末端は、該円筒の外径の左側の係合槽上に係合して固定され、
該伝送線は、該円筒を通過後、一端は、該右側巻線槽を通過し、該円筒の外径上に巻き付き、該出線口を通り出て、該伝送線の反対端は、該左側巻線槽上を通過後、該円筒の外径上に巻き付き、該出線口を通り出て、該伝送線を、該コードリール盤の外径上に巻き付け、
該伝送線の両端には、ＵＳＢプラグ及び携帯電話端末端子をそれぞれ設置し、該サポートフレーム構造の組合せ片の前端中段位置には、鳩尾ブロックを設置し、左右両側には、枢槽をそれぞれ設置し、該枢槽内には、左サポート片及び右サポート片を枢設するとともに、複数のボルトで固定し、
該左サポート片の後側には、枢耳を設置し、前側には、配置槽を設置し、該枢耳上には、枢孔を設置し、該右サポート片の後側には、枢耳を設置し、前側には、配置槽を設置し、該枢耳上には、枢孔を設置することを特徴とするデュアルプルコードリールと組合せた携帯電話端末サポートフレーム。
【請求項２】
前記ＵＳＢプラグは、該左側蓋体の前端の対応合体片の側辺に収納され、該携帯電話端末端子は、該右側蓋体の後端の対応合体片の収納空間に収納されることを特徴とする請求項１に記載のデュアルプルコードリールと組合せた携帯電話端末サポートフレーム。
【請求項３】
前記コードリール盤内の伝送線は、さまざまなタイプの携帯電話端末端子に交換可能で、市販の携帯電話端末充電スロットに対応することを特徴とする請求項１に記載のデュアルプルコードリールと組合せた携帯電話端末サポートフレーム。
【請求項４】
前記コードリール盤内の伝送線は、さまざまなタイプの携帯電話端末端子に交換可能でき、市販のタブレットＰＣ充電スロットに対応することを特徴とする請求項１に記載のデュアルプルコードリールと組合せた携帯電話端末サポートフレーム。
【考案の詳細な説明】
【技術分野】
【０００１】
本考案はデュアルプルコードリールと組合せた携帯電話端末サポートフレームに関し、特に従来の携帯電話端末コードリールに対して改良を加え、コードリールはＵＳＢ伝送線を効果的に巻き取りケース体内収納に収納でき、サポートフレームを取り外した後は、独立使用が可能なもう一つのサポートフレームとなり、コードリールとサポートフレームとは組み合わせて、或いは別々に使用でき、多種の機能を兼ね備え、使用者は便利に携帯して使用でき、使用者のニーズに応えることができるデュアルプルコードリールと組合せた携帯電話端末サポートフレームに関する。
【背景技術】
【０００２】
昨今のテクノロジーの発達で、大部分の携帯電話端末、タブレットＰＣはどれもスクリーンとして使用することができる。
それなのに、一般の携帯電話端末、タブレットＰＣには、設置するためのサポートフレームが提供されていない。
そのため、携帯電話端末、タブレットＰＣをスクリーンとして長時間見ようとする場合には、手で持つか、或いは傾斜させて固定物の前方に立て掛けるしか方法がない。
手で持って見る場合には、時間も労力も非常に掛かり、携帯電話端末、タブレットＰＣを落として損壊させてしまう状況も起こりやすい。
しかも、長時間携帯電話端末、タブレットＰＣを利用しスクリーンを見れば、携帯電話端末、タブレットＰＣの電池はすぐに損耗し、充電を行う必要が生じる。
【０００３】
さらに、一般携帯電話端末、タブレットＰＣは充電時に、しばしば非常に長いＵＳＢ伝送線を用いて充電する必要がある。
しかも、携帯電話端末、タブレットＰＣのサポートフレームには、充電線を収納する構造がなく、ＵＳＢ伝送線を丸めてバッグ或いはポケット内に入れるか、直接電源コンセント或いはコンピューターのＵＳＢスロットに挿入するしかない。
このため、携帯電話端末、タブレットＰＣのＵＳＢ伝送線を整理できないばかりか、しばしば充電線が絡まり、或いは不適切に引っ張られて損壊する状況も発生している。
【０００４】
現在市販されているＵＳＢ伝送線コードリールには、様々なタイプがある。
使用時には、使用者はＵＳＢ伝送線をケース体外へと引き出し、巻き取る時には、コードリール内のリールバネの弾力により、自動的にＵＳＢ伝送線をケース体内に巻き戻し収納するものである。
これにより、使用者は便利に携帯できるが、ＵＳＢ伝送線を収納する単一の機能だけしか備えないため、リールとサポートフレームの機能を兼ね備えるという消費者のニーズに応えることはできない。
本考案は、従来のコードリールの上記した欠点に鑑みてなされたものである。
【考案の概要】
【考案が解決しようとする課題】
【０００５】
本考案が解決しようとする課題は、従来の携帯電話端末コードリールに対して改良を加え、携帯電話端末コードリールとサポートフレームとを合併する方式で、コードリールのサポートフレームを取り外し、独立使用が可能なもう一つのサポートフレームとし、コードリールはＵＳＢ伝送線を効果的に巻き取りケース体内収納に収納でき、サポートフレーム多種機能を兼ね備え、使用者は便利に携帯して使用でき、使用者のニーズに応えることができるデュアルプルコードリールと組合せた携帯電話端末サポートフレームを提供することである。
【課題を解決するための手段】
【０００６】
上記課題を解決するため、本考案は下記のデュアルプルコードリールと組合せた携帯電話端末サポートフレームを提供する。
デュアルプルコードリールと組合せた携帯電話端末サポートフレームは、コードリール及びサポートフレームを備え、
該コードリール後側には、取り外し可能なサポートフレームを組み付け、
該コードリール構造は、ケース体、コードリール盤、リールバネ、伝送線を備え、
該サポートフレーム構造は、左サポート片、右サポート片、組合せ片及び複数のボルトを備え、
該ケース体は、左側蓋体及び右側蓋体からなり、該左側蓋体及び該右側蓋体が合体後は、収容空間を形成し、該収容空間内の適当な位置には、コードリール盤を設置し、該コードリール盤内部には、リールバネを設置し、伝送線は該コードリール盤内部を通過し、該コードリール盤外径上に巻き付き、
該サポートフレームの組合せ片前端中段位置には、鳩尾ブロックを設置し、左右両側には、枢槽をそれぞれ設置し、該枢槽内には、左サポート片及び右サポート片を枢設でき、複数のボルトを利用し枢設して固定し、
これにより、該伝送線は該コードリール盤外径上に巻き取られ、該伝送線両端には、ＵＳＢプラグ及び携帯電話端末端子をそれぞれ設置でき、該ＵＳＢプラグは、該左側蓋体前端の対応合体片側辺に収納され、該携帯電話端末端子は、該右側蓋体後端の対応合体片の収納空間に収納され、
携帯電話端末、タブレットＰＣの電池が損耗し充電の必要がある時には、ＵＳＢプラグを取り出し、電源コンセント或いはコンピューターＵＳＢスロット上に挿入し、反対端の携帯電話端末端子は携帯電話端末、タブレットＰＣに挿入し、
該サポートフレーム構造上の左サポート片及び右サポート片は、該ケース体後側まで回転しサポートフレームを形成し、携帯電話端末、タブレットＰＣを長時間鑑賞する際、及び充電時に置くことができ、しかも該コードリール盤内の伝送線上にはさまざまなタイプの携帯電話端末端子を設置でき、市販のすべての携帯電話端末、タブレットＰＣ等ポータブルデバイスに対応できる。
【考案の効果】
【０００７】
本考案のデュアルプルコードリールと組合せた携帯電話端末サポートフレームは、携帯電話端末コードリールとサポートフレームとを合併する方式で、コードリールのサポートフレームを取り外し、独立使用が可能なもう一つのサポートフレームとし、コードリールはＵＳＢ伝送線を効果的に巻き取りケース体内収納に収納でき、サポートフレーム多種機能を兼ね備え、使用者は便利に携帯して使用でき、使用者のニーズに応えることができる。
【図面の簡単な説明】
【０００８】
【図１】本考案一実施形態の組合せ立体模式図である。
【図２】本考案一実施形態の分解立体模式図である。
【図３】本考案一実施形態のコードリール及びサポートフレームの分解立体模式図である。
【図４】本考案一実施形態の組合せ断面模式図である。
【図５】本考案一実施形態の左サポート片及び右サポート片の收納模式図である。
【図６】本考案一実施形態の左サポート片及び右サポート片がケース体後側まで回転しサポートフレームを形成する様子を示す模式図である。
【図７】本考案一実施形態のＵＳＢプラグを取り出し、電源コンセント或いはコンピューターＵＳＢスロット上に挿入し、反対端の携帯電話端末端子は携帯電話端末に挿入する様子を示す上視模式図である。
【図８】本考案一実施形態のＵＳＢプラグを取り出し、電源コンセント或いはコンピューターＵＳＢスロット上に挿入し、反対端の携帯電話端末端子は携帯電話端末に挿入する様子を示す側視模式図である。
【図９】本考案一実施形態のサポートフレームの枢設断面模式図である。
【図１０】本考案一実施形態のサポートフレームを単独で携帯電話端末サポートフレームとして利用する様子を示す模式図である。
【考案を実施するための形態】
【０００９】
以下に図面を参照しながら本考案を実施するための最良の形態について詳細に説明する。
【００１０】
本考案によるデュアルプルコードリールと組合せた携帯電話端末サポートフレームは、図示の本考案具体的実施形態及びその構成部材において、あらゆる前と後、左と右、頂部と底部、上部と下部、及び水平と垂直の位置は参考に過ぎず、記載の便のため使用するだけで、本考案を制限するものではなく、また構成部材は任意の位置或いは空間方向に制限されることはない。
図示と明細書に指定するサイズは、本考案の実用新案登録請求の範囲内で、本考案の具体的実施形態の設計とニーズに対して変更を加えることができる。
【００１１】
図１〜図３に示すように、本考案のデュアルプルコードリールと組合せた携帯電話端末サポートフレームは、コードリール１０及びサポートフレーム８０を備える。
【００１２】
該コードリール１０後側には、取り外し可能なサポートフレーム８０を組み付ける。
【００１３】
該コードリール１０構造は、ケース体２０、コードリール盤５０、リールバネ６０、伝送線７０を備える。
【００１４】
該サポートフレーム８０構造は、左サポート片９１、右サポート片９５、組合せ片８１及び複数のボルト８５を備える。
【００１５】
該ケース体２０は、左側蓋体３０及び右側蓋体４０により組成され、左側蓋体３０及び右側蓋体４０が合体後は、収容空間２１を形成する。
【００１６】
該収容空間２１内の適当な位置には、コードリール盤５０を設置し、該コードリール盤５０内部には、リールバネ６０を設置し、伝送線７０は該コードリール盤５０内部を通過し、該コードリール盤５０外径上に巻き付く。
【００１７】
該左側蓋体３０の中心位置には、心軸３１を設置し、該コードリール盤５０を通過し、心軸３１の中心位置には、係合槽３２を切り込み状に設置し、該左側蓋体３０前端には、対応合体片３３を設置し、後端には、対応合体ブロック３４を設置する。
【００１８】
該対応合体片３３一側辺には、複数の対応合体柱３３１を設置し、該対応合体ブロック３４周縁には、複数の対応合体孔３４１を設置し、該左側蓋体３０底側には、底部封鎖蓋３５を設置し、該底部封鎖蓋３５後端には、出線口３６を設置する。
【００１９】
該右側蓋体４０頂点側には、頂部封鎖蓋４１を設置し、該頂部封鎖蓋４１前端には、出線口４２を設置し、該右側蓋体４０前端には、複数の対応合体孔４０１を設置し、後端には、２個の対応合体片４３、４４を設置し、２個の対応合体片４３、４４の間には、收納空間４５を形成する。
【００２０】
該後側の対応合体片４３後側には、鳩尾槽４６を設置し、これに鳩尾ブロック８２を挿入でき、該２個の対応合体片４３、４４末端には、複数の対応合体柱４７を設置する。
【００２１】
該コードリール盤５０外型は、円筒５１形状を呈し、該円筒５１内部は中空で、収容槽５２を設置する。
【００２２】
該収容槽５２中心位置には、穿孔５３を設置し、該円筒５１外径の左右両側には、巻線槽５５、５６をそれぞれ設置し、該左側巻線槽５５側辺には、係合槽５７を設置し、該収容槽５２内には、リールバネ６０を収容できる。
【００２３】
該リールバネ６０は巻かれた後、先端６１は、心軸３１中心位置係合槽３２上に係合して固定され、末端６２は、該円筒５１外径左側係合槽５７上に係合して固定される。
【００２４】
該伝送線７０は、該円筒５１を通過後、一端は、右側巻線槽５６を通過し、該円筒５１外径上に巻き付き、該出線口３６を通り出る。
【００２５】
該伝送線７０の反対端は、左側巻線槽５５上を通過後、該円筒５１外径上に巻き付き、該出線口４２を通り出て、こうして該伝送線７０リールを、該コードリール盤５０外径上に巻き付ける。
【００２６】
該伝送線７０両端には、ＵＳＢプラグ７１及び携帯電話端末端子７２をそれぞれ設置でき、該ＵＳＢプラグ７１は、該左側蓋体３０前端の対応合体片３３側辺に収納され、該携帯電話端末端子７２は、該右側蓋体４０後端の対応合体片４３の收納空間４４に収納される。
【００２７】
該サポートフレーム８０構造の組合せ片８１前端中段位置には、鳩尾ブロック８２を設置し、左右両側には、枢槽８３、８４をそれぞれ設置し、該枢槽８３、８４内には、左サポート片９１及び右サポート片９５を枢設でき、複数のボルト８５を利用して枢設し固定する。
【００２８】
該左サポート片９１後側には、枢耳９２を設置し、前側には、配置槽９３を設置し、該枢耳９２上には、枢孔９２１を設置し、該右サポート片９５後側には、枢耳９６を設置し、前側には、配置槽９７を設置し、該枢耳９６上には、枢孔９６１を設置する。
【００２９】
これにより、該コードリール１０は、ＵＳＢ伝送線をケース体２０内に巻き付けて收納でき、サポートフレーム８０を取り外した後は、独立使用が可能なもう一つのサポートフレームとなり、コードリール１０とサポートフレーム８０とは組み合わせて、或いは別々に使用でき、多種の機能を兼ね備え、使用者は便利に携帯して使用でき、使用者のニーズに応えることができる。
【００３０】
図１〜４は、本考案一実施形態の組合せ、分解、及び断面模式図である。
【００３１】
該左側蓋体３０中心位置心軸３１は、該コードリール盤５０に通して設置し、該コードリール盤５０円筒５１内部収容槽５２内には、リールバネ６０を収容し、該リールバネ６０先端６１は、該心軸３１中心位置係合槽３２上に巻き付く。
【００３２】
末端６２は、該円筒５１外径左側係合槽５７上に係合して固定され、該伝送線７０一端は、該右側巻線槽５６上を通過した後、該円筒５１外径上に巻き付き、該出線口３６を通り出る。
【００３３】
該伝送線７０の反対端は、左側巻線槽５５上を通過後、該円筒５１外径上に巻き付き、該出線口４２を通り出る。
【００３４】
こうして、該伝送線７０リールを、該コードリール盤５０外径上に巻き付ける。
【００３５】
該伝送線７０両端には、ＵＳＢプラグ７１及び携帯電話端末端子７２をそれぞれ設置でき、該ＵＳＢプラグ７１は、該左側蓋体３０前端の対応合体片３３側辺に収納され、該携帯電話端末端子７２は、該右側蓋体４０後端の対応合体片４３の收納空間４４に収納される。
【００３６】
充電時には、該対応合体片３３側辺上の携帯電話端末端子７２を外へと引き出し、該円筒５１外径上に巻き付けて設置する伝送線７０は、該コードリール盤５０を回転させる。
【００３７】
これと同時に、該伝送線７０をリリースし、該ＵＳＢプラグ７１及び該携帯電話端末端子７２を外へと引き出し、同時に該コードリール盤５０内のリールバネ６０は巻かれる，
【００３８】
充電が完了し、伝送線７０を収納する時には、該ＵＳＢプラグ７１及び該携帯電話端末端子７２を、スロットから取り外し手を放すだけで、該コードリール盤５０内の巻き取られたリールバネ６０はリリースされて巻かれていない状態となる。
【００３９】
これにより、該コードリール盤５０は、該伝送線７０を、該コードリール盤５０外径上の最初状態まで巻き取る。
【００４０】
該コードリール盤５０内の伝送線７０は、さまざまな携帯電話端末端子７２に交換でき、市販のすべての携帯電話端末、タブレットＰＣの充電スロットに対応させられる。
【００４１】
図５、６は、本考案一実施形態の左サポート片９１及び右サポート片９５の收納及び展開模式図である。
【００４２】
該左サポート片９１及び該右サポート片９５は、該ケース体２０後側まで回転し、サポートフレームを形成する。
【００４３】
該左サポート片９１及び該右サポート片９５の未使用時には、該左側蓋体３０及び該右側蓋体４０側辺に収納され、使用時には、該ケース体２０後側へと適当角度の回転を行い、サポートフレームを形成する。
【００４４】
図７、８は、本考案一実施形態のＵＳＢプラグ７１を取り出し、電源コンセント或いはコンピューターＵＳＢスロット上に挿入し、反対端の携帯電話端末端子７２を携帯電話端末に挿入しる上視及び側視模式図である。
【００４５】
該伝送線７０両端のＵＳＢプラグ７１及び携帯電話端末端子７２に適当な長さの引き出しを行った後、該ＵＳＢプラグ７１及び該携帯電話端末端子７２は、携帯電話端末充電ジャック及びＵＳＢスロットに挿入されて充電される。
【００４６】
図９、１０は、本考案一実施形態のサポートフレーム８０の断面模式図、及びサポートフレーム８０がコードリール１０を離脱した後に単独で携帯電話端末サポートフレームとして利用される様子を示す模式図である。
【００４７】
該サポートフレーム８０構造の組合せ片８１前端は、鳩尾ブロック８２で、対応合体片４３後側鳩尾槽４６内に挿入して設置できる。
【００４８】
組合せ片８０左右両側の枢槽８３、８４内には、左サポート片９１及び右サポート片９５を枢設し、複数のボルト８５を利用して枢設して固定する。
【００４９】
該サポートフレーム８０構造は、該コードリール１０を離れた後、単独で利用可能な携帯電話端末サポートフレームとでき、該コードリール１０はＵＳＢ伝送線７０をケース体内に巻き取って收納できるため、使用者は便利に携帯して使用でき、使用者のニーズに応えることができる。
【００５０】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００５１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５２】
１０    コードリール
２０    ケース体
２１    収容空間
３０    左側蓋体
３１    心軸
３２    係合槽
３３    対応合体片
３３１  対応合体柱
３４    対応合体ブロック
３４１  対応合体孔
３５    底部封鎖蓋
３６    出線口
４０    右側蓋体
４０１  対応合体孔
４１    頂部封鎖蓋
４２    出線口
４３    対応合体片
４４    対応合体片
４５    收納空間
４６    鳩尾槽
４７    対応合体柱
５０    コードリール盤
５１    円筒
５２    収容槽
５３    穿孔
５５    巻線槽
５６    巻線槽
５７    係合槽
６０    リールバネ
６１    先端
６２    末端
７０    伝送線
７１    ＵＳＢプラグ
７２    携帯電話端末端子
８０    サポートフレーム
８１    組合せ片
８２    鳩尾ブロック
８３    枢槽
８４    枢槽
８５    ボルト
９１    左サポート片
９２    枢耳
９２１  枢孔
９３    配置槽
９５    右サポート片
９６    枢耳
９６１  枢孔
９７    配置槽
【図１】
0003202609.tif 000003
【図２】
0003202609.tif 000004
【図３】
0003202609.tif 000005
【図４】
0003202609.tif 000006
【図５】
0003202609.tif 000007
【図６】
0003202609.tif 000008
【図７】
0003202609.tif 000009
【図８】
0003202609.tif 000010
【図９】
0003202609.tif 000011
【図１０】
0003202609.tif 000012